(57)【特許請求の範囲】
【請求項１】
ユーザの携帯端末と無線通信が可能な無線通信手段と、
データを印刷するための１個または複数個の印刷設定条件を登録する登録手段と、
前記ユーザの携帯端末と無線通信手段との接続の確立前に、前記登録された印刷設定条件と関連付けて識別情報を生成する識別情報生成手段と、
印刷設定条件との関連付けをユーザが認識可能な状態で、前記生成された識別情報を表示する表示手段と、
ユーザによって携帯端末に入力され、携帯端末から送信されてきた識別情報が、前記生成された識別情報と一致している場合に、携帯端末との間で接続を確立する接続制御手段と、
接続が確立された携帯端末から送信されてきた印刷対象データ、または携帯端末から送信されてきた印刷対象データの保存先情報に基づいて取得された印刷対象データを、前記接続の確立のために用いられた識別情報と関連付けられた印刷設定条件で印刷する印刷手段と、
を備え、
前記印刷設定条件はユーザ毎に登録され、
前記識別情報生成手段は、識別情報を、ログインしたユーザに関連付けて予め記憶されている印刷設定条件と関連付けて、当該ユーザのログイン時に生成し、印刷終了時に、当該生成した識別情報を削除することを特徴とする画像処理装置。
【請求項２】
前記無線通信手段はブルートゥースを用いた通信手段であり、前記識別情報はＰＩＮ コードである請求項１に記載の画像処理装置。
【請求項３】
前記印刷設定条件と関連付けて識別情報を生成し表示するか、印刷設定条件と関連付けることなく識別情報を生成し表示するかを、ユーザが選択可能な選択手段を備えている請求項１または２に記載の画像処理装置。
【請求項４】
前記表示手段は、識別情報と、該識別情報と関連付けられた印刷設定条件の具体的な内容とを表示する請求項１〜３のいずれかに記載の画像処理装置。
【請求項５】
印刷設定条件には名称が付与され、
前記表示手段は、識別情報と、該識別情報と関連付けられた印刷設定条件の名称とを表示する請求項１〜４のいずれかに記載の画像処理装置。
【請求項６】
データを印刷するための１個または複数個の印刷設定条件を登録するステップと、
前記ユーザの携帯端末と画像処理装置との間で無線通信を行うための接続の確立前に、前記登録された印刷設定条件と関連付けて識別情報を生成する識別情報生成ステップと、
印刷設定条件との関連付けをユーザが認識可能な状態で、前記生成された識別情報を表示手段に表示する表示ステップと、
ユーザによって携帯端末に入力され、携帯端末から送信されてきた識別情報が、前記生成された識別情報と一致している場合に、携帯端末との間で接続を確立するステップと、
接続が確立された携帯端末から送信されてきた印刷対象データ、または携帯端末から送信されてきた印刷対象データの保存先情報に基づいて取得された印刷対象データを、前記接続の確立のために用いられた識別情報と関連付けられた印刷設定条件で印刷するステップと、
を備え、
前記印刷設定条件はユーザ毎に登録され、
前記識別情報生成ステップでは、識別情報を、ログインしたユーザに関連付けて予め記憶されている印刷設定条件と関連付けて、当該ユーザのログイン時に生成し、印刷終了時に、当該生成した識別情報を削除することを特徴とする画像処理装置における画像処理方法。
【請求項７】
前記無線通信はブルートゥースによるものであり、前記識別情報はＰＩＮ コードである請求項６に記載の画像処理方法。
【請求項８】
前記印刷設定条件と関連付けて識別情報を生成し表示するか、印刷設定条件と関連付けることなく識別情報を生成し表示するかを、ユーザの指示に基づいて選択するステップを備えている請求項６または７に記載の画像処理方法。
【請求項９】
前記表示ステップでは、識別情報と、該識別情報と関連付けられた印刷設定条件の具体的な内容とを表示する請求項６〜８のいずれかに記載の画像処理方法。
【請求項１０】
印刷設定条件には名称が付与され、
前記表示ステップでは、識別情報と、該識別情報と関連付けられた印刷設定条件の名称とを表示する請求項６〜８のいずれかに記載の画像処理方法。
【請求項１１】
データを印刷するための１個または複数個の印刷設定条件を登録するステップと、
前記ユーザの携帯端末と画像処理装置との間で無線通信を行うための接続の確立前に、前記登録された印刷設定条件と関連付けて識別情報を生成する識別情報生成ステップと、
印刷設定条件との関連付けをユーザが認識可能な状態で、前記生成された識別情報を表示手段に表示する表示ステップと、
ユーザによって携帯端末に入力され、携帯端末から送信されてきた識別情報が、前記生成された識別情報と一致している場合に、携帯端末との間で接続を確立するステップと、
接続が確立された携帯端末から送信されてきた印刷対象データ、または携帯端末から送信されてきた印刷対象データの保存先情報に基づいて取得された印刷対象データを、前記接続の確立のために用いられた識別情報と関連付けられた印刷設定条件で印刷するステップと、
を画像処理装置のコンピュータに実行させるための画像処理プログラムであって、
前記印刷設定条件はユーザ毎に登録され、
前記識別情報生成ステップでは、識別情報を、ログインしたユーザに関連付けて予め記憶されている印刷設定条件と関連付けて、当該ユーザのログイン時に生成し、印刷終了時に、当該生成した識別情報を削除する処理を前記コンピュータに実行させる画像処理プログラム。
【請求項１２】
前記無線通信はブルートゥースによるものであり、前記識別情報はＰＩＮ コードである請求項１１に記載の画像処理プログラム。
【請求項１３】
前記印刷設定条件と関連付けて識別情報を生成し表示するか、印刷設定条件と関連付けることなく識別情報を生成し表示するかを、ユーザの指示に基づいて選択するステップを、さらにコンピュータに実行させる請求項１１または１２に記載の画像処理プログラム。
【請求項１４】
前記表示ステップでは、識別情報と、該識別情報と関連付けられた印刷設定条件の具体的な内容とを表示する請求項１１〜１３のいずれかに記載の画像処理プログラム。
【請求項１５】
印刷設定条件には名称が付与され、
前記表示ステップでは、識別情報と、該識別情報と関連付けられた印刷設定条件の名称とを表示する請求項１１〜１３のいずれかに記載の画像処理プログラム。
【発明の詳細な説明】
【技術分野】
【０００１】
この発明は、ユーザの携帯端末との間で無線通信によるデータの送受信が可能な画像形成装置等に適用される画像処理装置、同装置で実施される画像処理方法、及び前記画像処理方法を画像処理装置のコンピュータに実行させるための画像処理プログラムに関する。
【背景技術】
【０００２】
多機能デジタル複合機であるＭＦＰ（Multi Function Peripherals)等の画像処理装置として、例えばブルートゥース（Bluetooth）等の近距離無線通信により携帯電話等の携帯端末から送信されてきた印刷等の処理対象データを受信して処理できる構成のものが知られている（例えば、特許文献１参照）。
【０００３】
このように、携帯端末から送信されてきた処理対象データを画像処理装置で処理する場合、携帯端末と画像処理装置との接続を確立して、データを携帯端末から画像処理装置へ送信する必要がある。また、処理対象データに対する処理条件を画像処理装置で設定する必要もある。
【０００４】
このため、従来では、ユーザは携帯端末と画像処理装置との接続確立のための操作を行うと共に、この操作とは別に、画像処理装置に対する処理条件の設定のための操作を行っていた。
【０００５】
なお、特許文献２には、ユーザの携帯電話と近距離無線通信が可能なデバイスとの間で、PINコード等の識別情報を用いることにより両者間での接続を確立する技術が開示されている。
【特許文献１】特開２００７−１５７０８４号公報
【特許文献２】特開２００６−１２１７２６号公報
【発明の開示】
【発明が解決しようとする課題】
【０００６】
しかしながら、携帯端末と画像処理装置との接続確立のための操作と、処理条件の設定のための操作をユーザが別々に行うのは、操作が煩雑になり、使い勝手が良くないという問題があった。
【０００７】
なお、処理条件として画像処理装置の初期設定を適用することにより、処理条件の設定のための操作を省略することも考えられるが、初期設定は画像処理装置毎に異なるのみならず、初期設定がユーザの望む処理条件と相違している場合は設定の変更が必要になり、やはり操作が面倒であり操作性の改善を期待できない。
【０００８】
また、前記特許文献２に記載された技術は、上記のような問題に対して、解決策を与えうるものではない。
【０００９】
この発明は、このような技術的背景に鑑みてなされたものであり、携帯端末を介して取得された処理対象データを画像処理装置で処理する場合のユーザ操作の簡易化を図り、操作性を向上した使い勝手の良い画像処理装置及び画像処理方法を提供し、さらに前記画像処理方法を画像処理装置のコンピュータに実行させるための画像処理プログラムを提供することを課題とする。
【課題を解決するための手段】
【００１０】
上記課題は、以下の手段によって解決される。
（１）ユーザの携帯端末と無線通信が可能な無線通信手段と、データを印刷するための１個または複数個の印刷設定条件を登録する登録手段と、前記ユーザの携帯端末と無線通信手段との接続の確立前に、前記登録された印刷設定条件と関連付けて識別情報を生成する識別情報生成手段と、印刷設定条件との関連付けをユーザが認識可能な状態で、前記生成された識別情報を表示する表示手段と、ユーザによって携帯端末に入力され、携帯端末から送信されてきた識別情報が、前記生成された識別情報と一致している場合に、携帯端末との間で接続を確立する接続制御手段と、接続が確立された携帯端末から送信されてきた印刷対象データ、または携帯端末から送信されてきた印刷対象データの保存先情報に基づいて取得された印刷対象データを、前記接続の確立のために用いられた識別情報と関連付けられた印刷設定条件で印刷する印刷手段と、を備え、前記印刷設定条件はユーザ毎に登録され、前記識別情報生成手段は、識別情報を、ログインしたユーザに関連付けて予め記憶されている印刷設定条件と関連付けて、当該ユーザのログイン時に生成し、印刷終了時に、当該生成した識別情報を削除することを特徴とする画像処理装置。
（２）前記無線通信手段はブルートゥースを用いた通信手段であり、前記識別情報はＰＩＮ コードである前項１に記載の画像処理装置。
（３）前記印刷設定条件と関連付けて識別情報を生成し表示するか、印刷設定条件と関連付けることなく識別情報を生成し表示するかを、ユーザが選択可能な選択手段を備えている前項１または２に記載の画像処理装置。
（４）前記表示手段は、識別情報と、該識別情報と関連付けられた印刷設定条件の具体的な内容とを表示する前項１〜３のいずれかに記載の画像処理装置。
（５）印刷設定条件には名称が付与され、前記表示手段は、識別情報と、該識別情報と関連付けられた印刷設定条件の名称とを表示する前項１〜４のいずれかに記載の画像処理装置。
（６）データを印刷するための１個または複数個の印刷設定条件を登録するステップと、前記ユーザの携帯端末と画像処理装置との間で無線通信を行うための接続の確立前に、前記登録された印刷設定条件と関連付けて識別情報を生成する識別情報生成ステップと、印刷設定条件との関連付けをユーザが認識可能な状態で、前記生成された識別情報を表示手段に表示する表示ステップと、ユーザによって携帯端末に入力され、携帯端末から送信されてきた識別情報が、前記生成された識別情報と一致している場合に、携帯端末との間で接続を確立するステップと、接続が確立された携帯端末から送信されてきた印刷対象データ、または携帯端末から送信されてきた印刷対象データの保存先情報に基づいて取得された印刷対象データを、前記接続の確立のために用いられた識別情報と関連付けられた印刷設定条件で印刷するステップと、を備え、前記印刷設定条件はユーザ毎に登録され、前記識別情報生成ステップでは、識別情報を、ログインしたユーザに関連付けて予め記憶されている印刷設定条件と関連付けて、当該ユーザのログイン時に生成し、印刷終了時に、当該生成した識別情報を削除することを特徴とする画像処理装置における画像処理方法。
（７）前記無線通信はブルートゥースによるものであり、前記識別情報はＰＩＮ コードである前項６に記載の画像処理方法。
（８）前記印刷設定条件と関連付けて識別情報を生成し表示するか、印刷設定条件と関連付けることなく識別情報を生成し表示するかを、ユーザの指示に基づいて選択するステップを備えている前項６または７に記載の画像処理方法。
（９）前記表示ステップでは、識別情報と、該識別情報と関連付けられた印刷設定条件の具体的な内容とを表示する前項６〜８のいずれかに記載の画像処理方法。
（１０）印刷設定条件には名称が付与され、前記表示ステップでは、識別情報と、該識別情報と関連付けられた印刷設定条件の名称とを表示する前項６〜８のいずれかに記載の画像処理方法。
（１１）データを印刷するための１個または複数個の印刷設定条件を登録するステップと、前記ユーザの携帯端末と画像処理装置との間で無線通信を行うための接続の確立前に、前記登録された印刷設定条件と関連付けて識別情報を生成する識別情報生成ステップと、印刷設定条件との関連付けをユーザが認識可能な状態で、前記生成された識別情報を表示手段に表示する表示ステップと、ユーザによって携帯端末に入力され、携帯端末から送信されてきた識別情報が、前記生成された識別情報と一致している場合に、携帯端末との間で接続を確立するステップと、接続が確立された携帯端末から送信されてきた印刷対象データ、または携帯端末から送信されてきた印刷対象データの保存先情報に基づいて取得された印刷対象データを、前記接続の確立のために用いられた識別情報と関連付けられた印刷設定条件で印刷するステップと、を画像処理装置のコンピュータに実行させるための画像処理プログラムであって、前記印刷設定条件はユーザ毎に登録され、前記識別情報生成ステップでは、識別情報を、ログインしたユーザに関連付けて予め記憶されている印刷設定条件と関連付けて、当該ユーザのログイン時に生成し、印刷終了時に、当該生成した識別情報を削除する処理を前記コンピュータに実行させる画像処理プログラム。
（１２）前記無線通信はブルートゥースによるものであり、前記識別情報はＰＩＮ コードである前項１１に記載の画像処理プログラム。
（１３）前記印刷設定条件と関連付けて識別情報を生成し表示するか、印刷設定条件と関連付けることなく識別情報を生成し表示するかを、ユーザの指示に基づいて選択するステップを、さらにコンピュータに実行させる前項１１または１２に記載の画像処理プログラム。
（１４）前記表示ステップでは、識別情報と、該識別情報と関連付けられた印刷設定条件の具体的な内容とを表示する前項１１〜１３のいずれかに記載の画像処理プログラム。
（１５）印刷設定条件には名称が付与され、前記表示ステップでは、識別情報と、該識別情報と関連付けられた印刷設定条件の名称とを表示する前項１１〜１３のいずれかに記載の画像処理プログラム。
【発明の効果】
【００１１】
前項（１）に記載の発明によれば、データを印刷するための１個または複数個の予め登録された印刷設定条件と関連付けて、携帯端末との接続確立のための識別情報が生成されるとともに、生成された識別情報が処理条件との関連付けをユーザが認識可能な状態で表示手段に表示される。ユーザは表示された識別情報の中から所定のものを選択して携帯端末に入力し、画像処理装置に送信する。携帯端末から送信されてきた識別情報が、前記生成された識別情報と一致している場合に、携帯端末との間で接続が確立される。接続確立後、携帯端末から送信されてきた印刷対象データ、または携帯端末から送信されてきた印刷対象データの保存先情報に基づいて取得された印刷対象データが、前記接続の確立のために用いられた識別情報と関連付けられた印刷設定条件で処理される。
【００１２】
つまり、接続確立のための識別情報は印刷設定条件に関連付けられており、ユーザは、画像処理装置の表示手段に表示された識別情報の中から、所望の印刷設定条件と関連付けられた識別情報を選択して携帯端末に入力し送信するという操作を行えば、入力された識別情報に基づいて端末装置と画像形成装置との接続が確立されるのみならず、画像処理装置においては印刷対象データの印刷設定条件として、入力された識別情報と関連付けられた印刷設定条件が自動的に設定され、その印刷設定条件で処理が行われる。従って、携帯端末と画像処理装置との接続確立のための操作と、印刷設定条件の設定のための操作をユーザが別々に行う必要はなくなるから、ユーザ操作の簡易化を図ることができ、操作性を向上した使い勝手の良い画像処理装置となしうる。また、ログインしたユーザに関連付けて予め記憶されている印刷設定条件と関連付けて識別情報が生成されるから、ログインしたユーザが誤って、他のユーザが登録した印刷設定条件を選択する恐れはなくなる。
【００１３】
前項（２）に記載の発明によれば、携帯端末との間でブルートゥースによる近距離無線通信が可能となり、PIN コードによって携帯端末との接続を確立することができる。
【００１５】
前項（３）に記載の発明によれば、印刷設定条件と関連付けて識別情報を生成し表示するか、印刷設定条件と関連付けることなく識別情報を生成し表示するかを、ユーザが選択することができる。
【００１６】
前項（４）に記載の発明によれば、識別情報と、該識別情報と関連付けられた印刷設定条件の具体的な内容とが表示されるから、ユーザは設定したい印刷設定条件の内容を容易に理解することができる。
【００１７】
前項（５）に記載の発明によれば、識別情報と、該識別情報と関連付けられた印刷設定条件の名称とが表示されるから、表示手段への表示を簡潔に行うことができる。
【００１９】
前項（６）に記載の発明によれば、ユーザが、画像処理装置の表示手段に表示された識別情報の中から、所望の印刷設定条件と関連付けられた識別情報を選択して携帯端末から入力するという操作を行えば、入力された識別情報に基づいて端末装置と画像形成装置との接続が確立されるのみならず、画像処理装置においては印刷対象データの印刷設定条件として、入力された識別情報と関連付けられた印刷設定条件が自動的に設定され、その印刷設定条件で印刷が行われるから、携帯端末と画像処理装置との接続確立のための操作と、印刷設定条件の設定のための操作をユーザが別々に行う必要はなくなり、ユーザ操作の簡易化を図ることができ、操作性を向上することができる。また、ログインしたユーザに関連付けて予め記憶されている印刷設定条件と関連付けて識別情報が生成されるから、ログインしたユーザが誤って、他のユーザが登録した印刷設定条件を選択する恐れはなくなる。
【００２０】
前項（７）に記載の発明によれば、携帯端末との間でブルートゥースによる近距離無線通信が可能となり、ＰＩＮ コードによって携帯端末との接続を確立することができる。
【００２２】
前項（８）に記載の発明によれば、印刷設定条件と関連付けて識別情報を生成し表示するか、印刷設定条件と関連付けることなく識別情報を生成し表示するかを、ユーザが選択することができる。
【００２３】
前項（９）に記載の発明によれば、識別情報と、該識別情報と関連付けられた印刷設定条件の具体的な内容とが表示されるから、ユーザは設定したい印刷設定条件の内容を容易に理解することができる。
【００２４】
前項（１０）に記載の発明によれば、識別情報と、該識別情報と関連付けられた印刷設定条件の名称とが表示されるから、表示手段への表示を簡潔に行うことができる。
【００２６】
前項（１１）に記載の発明によれば、ユーザが、画像処理装置の表示手段に表示された識別情報の中から、所望の印刷条件と関連付けられた識別情報を選択して携帯端末から入力するという操作を行えば、入力された識別情報に基づいて端末装置と画像形成装置との接続が確立されるのみならず、画像処理装置においては印刷対象データの印刷設定条件として、入力された識別情報と関連付けられた印刷設定条件が自動的に設定される処理、及び識別情報を、ログインしたユーザに関連付けて予め記憶されている印刷設定条件と関連付けて、当該ユーザのログイン時に生成し、印刷終了時に、当該生成した識別情報を削除する処理を、画像処理装置のコンピュータに実行させることができる。
【００２７】
前項（１２）に記載の発明によれば、ＰＩＮ コードによって携帯端末との間でブルートゥースによる近距離無線通信を確立する処理を、コンピュータに実行させることができる。
【００２９】
前項（１３）に記載の発明によれば、印刷設定条件と関連付けて識別情報を生成し表示するか、印刷設定条件と関連付けることなく識別情報を生成し表示するかを、ユーザの指示に基づいて選択する処理を、コンピュータに実行させることができる。
【００３０】
前項（１４）に記載の発明によれば、識別情報と、該識別情報と関連付けられた印刷設定条件の具体的な内容とを表示する処理を、コンピュータに実行させることができる。
【００３１】
前項（１５）に記載の発明によれば、識別情報と、該識別情報と関連付けられた印刷設定条件の名称とを表示する処理を、コンピュータに実行させることができる。
【発明を実施するための最良の形態】
【００３３】
以下、この発明の一実施形態を図面に基づいて説明する。
【００３４】
図１は、この発明の一実施形態に係る画像処理装置の機能的構成を示すブロック図である。この実施形態では、画像処理装置として、複写機能、プリンタ機能、ファクシミリ機能、他装置へのデータ送信機能等の多機能が集約されたデジタル複合機である前述のＭＦＰが用いられているが、画像処理装置はＭＦＰに限定されることはない。例えば、複写機、プリンタ、ファクシミリなどであっても良い。
【００３５】
図１において、画像処理装置１は、演算処理部１１と、スキャナ部１２と、プリンタ部１３と、操作パネル部１４と、記憶部１５と、無線通信部１６と、認証部１７と、ファクシミリ（ＦＡＸ）送受信部１８と、ネットワークインターフェイス部（ネットワークＩ／Ｆ部）１９等を備えている。
【００３６】
演算処理部１１は、ＣＰＵ１１ａ、ＲＯＭ１１ｂおよびＲＡＭ１１ｃを有している。
【００３７】
ＣＰＵ１１ａは、画像処理装置１の全体を統括的に制御するものであり、ＲＯＭ１１ｂは、ＣＰＵ１１ａの動作プログラムやその他のデータが格納されたメモリであり、ＲＡＭ１１ｃは、ＣＰＵ１１ａが動作プログラムを実行する際の作業領域を提供するメモリである。
【００３８】
スキャナ部１２は、プラテンガラスや自動原稿搬送装置（何れも図示せず）にセットされた原稿の画像を所定の解像度で読み取るとともに、所定の画像処理を施して電子データである画像データに変換するものであり、図示しない光源、プリズム、ＣＣＤ等を備えている。
【００３９】
プリンタ部１３は、前記スキャナ部１２で読み取られた原稿の画像データや、携帯端末２やパーソナルコンピュータ等の外部装置から送信されてくるプリントデータを、用紙に印字するものであり、例えば電子写真機構、インクジェット、熱転写機構によって構成されている。
【００４０】
操作パネル部１４は、図２に示すように、スタートキー、テンキー等のユーザが各種の指示を入力するためのキー部１４１と、ユーザへのメッセージや各種の入力画面等を表示する液晶タッチパネルからなる表示部１４２を有している。また、表示部１４２には、無線通信部１６を介して携帯端末２と無線通信を行う際に、携帯端末２と画像処理装置１との間で接続を確立するための識別情報が、印刷条件等の処理条件との関連付けをユーザが認識可能な状態で表示されるものとなされているが、この点については後述する。
【００４１】
記憶部１５は、各種データやソフトウェアを記憶するものであり、ハードディスク（ＨＤＤ）や不揮発性メモリ等により構成されている。この記憶部１５には、処理条件の具体的内容と処理条件の保存名を含むユーザ毎の１個または複数個の処理条件が、ユーザに関連付けられた保存領域に登録・保存されている。さらに、画像処理装置１に初期設定されているデフォルトの処理条件も保存されている。
【００４２】
無線通信部１６は、無線通信によりネットワークに接続したり、近隣に存在する携帯端末２との間で無線通信を実現するためのものである。この実施形態では、無線通信部１６による無線通信はブルートゥースを用いて行われる場合を示すが、ブルートゥースに限らず他の無線通信方式であってもよい。無線通信部１６を介してブルートゥースによる接続が確立されると、画像処理装置１と携帯端末２との間でデータの送受信が可能となる。
【００４３】
認証部１７は、画像処理装置１にログインするユーザの認証を行うものである。なお、認証は画像処理装置１内の内部認証により行われても良いし、認証サーバ等を用いた外部認証により行われても良い。
【００４４】
ファクシミリ送受信部１８は、ファクシミリによる送受信を行うものであり、ネットワークインターフェイス部１９は、有線により接続された図示しないネットワークを介してデータの送受信を行うものである。
【００４５】
前記演算処理部１１は、ＣＰＵ１１ａがＲＯＭ１１ｂ等に格納された動作プログラムを実行することにより、複写動作、プリンタ動作、ファクシミリ動作等の画像処理装置１が有する通常の機能動作の制御を行う他、次のような制御をも実行する。即ち、携帯端末２と画像処理装置１との間の接続を確立するために用いられる識別情報を、各処理条件の数だけ生成すると共に、各識別情報と処理条件とを関連付けて、前記記憶部１５に保存させる。なお、この実施形態では、無線通信方式としてブルートゥースが用いられているため、前記識別情報としてＰＩＮコードが生成される。
【００４６】
さらに、演算処理部１１は、生成された各ＰＩＮコードと各処理条件の関連付けをユーザが認識できる状態で操作パネル部１４の表示部１４２に表示する。また、表示を見たユーザが、採用したい処理条件に関連付けられたＰＩＮコードを携帯端末２に入力し、画像処理装置１に送信すると、演算処理部１１は、受信したＰＩＮコードが、自身が生成したＰＩＮコードと一致しているかどうかを判別する。そして、一致している場合には、無線通信部１６と携帯端末２との接続を確立するとともに、受信した前記ＰＩＮコードと関連付けられた処理条件を、処理対象データの処理条件として設定するとともに、設定された処理条件で処理対象データを処理する。
【００４７】
なお、処理対象データは、画像処理装置１との接続が確立された携帯端末２から画像処理装置１へ直接送信されても良いし、携帯端末２から送信されてきた処理対象データの保存先情報に基づいて、画像処理装置１が保存先にアクセスすることにより取得しても良い。例えば、サーバやユーザのパーソナルコンピュータ等の記憶部（ハードディスク等）を処理対象データの保存先とし、当該記憶部の処理対象データが保存されている領域を示すパスやＵＲＬを保存先情報とすることができる。
【００４８】
また、処理対象データに実施される処理の種類は特に限定されることはなく、印刷処理であっても良いし、ファクシミリ送信処理であっても良いし、メール等によるデータ送信処理であっても良い。予め登録される処理条件も、印刷処理条件（印刷設定ともいう）、宛先設定等を含むファクシミリ送信処理条件やデータ送信処理条件等、いずれであっても良い。なお、以後は、処理が印刷処理であり処理条件が印刷設定である場合を例にとって説明する。
【００４９】
前記携帯端末２としては、ブルートゥースによる無線通信が可能な携帯電話やＰＤＡ（Personal Digital Assistants）等が用いられる。
【００５０】
図２は、ユーザが印刷設定を登録する際に操作パネル部１４の表示部１４２に表示される登録画面の表示例を示す図である。
【００５１】
この登録画面Ｄ１には、ユーザ（名前：Mike) が登録する印刷設定の具体的な内容が表示されている。
【００５２】
印刷設定の項目として、例えば「ページ割付」、「ステーブル」、「給紙トレイ」、「排紙トレイ」、「パンチ」、「印刷種類」、「用紙種類」、「部数」等が表示されている。ここで、ユーザは、各設定項目について設定する条件を選択肢からタッチ操作で選択する。
【００５３】
なお、この画面Ｄ１における「ＰＩＮコード表示：”する””しない”」のボタンｄ１は、前記印刷設定と関連付けてＰＩＮコードを表示するかしないかを、ユーザが画面１上で選択するためのボタンである。「ＰＩＮコード表示：する」が選択されると、生成されたＰＩＮコードと登録された処理条件とが、対になって表示される。一方、「ＰＩＮコード表示：しない」が選択されると、処理条件とは無関係に生成された１つのＰＩＮコードが表示される。
【００５４】
図３は、図２の登録画面Ｄ１により記憶部１５に登録された印刷設定の内容を示す表である。ユーザ（名前：Mike)によって印刷設定と設定保存名が入力されると、両者が関連付けられて登録される。登録された印刷設定はユーザ毎に管理される。
【００５５】
印刷設定と設定保存名が関連付けられて登録されることにより、設定保存名により各印刷設定を一意に選択できる。図３の表では、登録されている各印刷設定の設定保存名として、「Mike-default」、「Mike-Normal」、「Mike-NoStaple」の３つが表示されている。このとき、ＰＩＮコードはまだ生成されていないため、ＰＩＮコードの項目は空白になっている。
【００５６】
図４は、ＰＩＮコード生成後の印刷設定の登録内容を示す表である。この表に示されるように、印刷設定毎に異なるＰＩＮコードが関連付けられている。なお、この実施形態では、図４に示されるように、ログインしたユーザの印刷設定だけでなく、画像処理装置１にもともと設定されているデフォルトの印刷設定についても、ＰＩＮコードが生成されるものとなされている。
【００５７】
図５は、携帯端末２と画像処理装置１との間で、ブルートゥースによる接続を行う際に、登録されている印刷設定とＰＩＮコードの関連付けをユーザが認識できる状態で、これらの印刷設定及びＰＩＮコードを操作パネル部１４の表示部１４２に表示する場合の画面表示例を示す図である。
【００５８】
この実施形態では、図３及び図４で説明したように、ユーザ（名前：Mike)について「Mike-default」、「Mike-Normal」、「Mike-NoStaple」という設定保存名で３個の印刷設定がすでに登録・保存されており、これらの各設定保存名と各関連付けられたＰＩＮコードとが組み合わされて表示されている。また、デフォルトの印刷設定とこれに関連付けられたＰＩＮコードも表示されている。
【００５９】
このように、ＰＩＮコードと設定保存名とが関連付けられた状態で表示されるから、この表示を見てユーザは、所望の印刷設定に関連付けられたＰＩＮコードを選択し、携帯端末２に入力して、画像処理装置１に送信すればよい。すると、画像処理装置１は、受信したＰＩＮコードが、自身が生成したＰＩＮコードのいずれかと一致するかどうかを判別し、一致すればブルートゥースによる無線接続が確立される。また、受信したＰＩＮコードと関連付けられた印刷設定が判別されるとともに、判別された印刷設定が、印刷対象データに対して設定され、その印刷設定により印刷処理が実行される。
【００６０】
つまり、ユーザは、表示部１４２に表示されたＰＩＮコードの中から所望のものを選択して携帯端末２にＰＩＮコードを入力し、画像処理装置１に送信する操作を行うだけで、入力されたＰＩＮコードと関連付けられた印刷設定が自動的に設定され、その印刷設定にて印刷対象データの印刷が行われることになる。従って、従来のように、ユーザがＰＩＮコードの入力とは別に、画像処理装置１に対して印刷設定のための操作を行う必要はなくなるから、ユーザ操作の簡易化を図ることができ、操作性を向上した使い勝手の良い画像処理装置となる。
【００６１】
また、この実施形態では、画像処理装置１のデフォルトの印刷設定についてもＰＩＮコードが生成され表示されるから、ユーザが自己の印刷設定を登録していない場合も、デフォルトの印刷設定を選択することで、印刷処理が可能となる。
【００６２】
なお、前述したように、ユーザが印刷設定の登録に際して、図２の操作パネル１４の登録画面で「ＰＩＮコード表示：しない」を選択した場合には、ＰＩＮコードと印刷設定が対で表示されることなく、従来と同様に１個のＰＩＮコードが表示される。この場合は、ユーザによる印刷設定操作が必要となる。
【００６３】
ところで、図５の画面では、各設定保存名とＰＩＮコードが組み合わされて表示されているが、図４に示すような印刷設定の具体的な内容をすべて表示するようにしてもよい。その場合、ユーザは、印刷設定の内容が一目で分かり、ＰＩＮコードの選択を行いやすくなる。一方、図５に示したように、各設定保存名とＰＩＮコードが表示される場合には、表示手段への表示を簡潔に行うことができる利点がある。
【００６４】
また、図５の画面において、設定保存名とＰＩＮコードの組み合わせボタンにタッチすることにより、印刷設定の内容が表示される構成としても良い。
【００６５】
次に、ユーザが印刷設定を登録する場合に画像処理装置１で実行される登録処理を、図６のフローチャートを参照して説明する。
【００６６】
この処理は、画像処理装置１の演算処理部１１におけるＣＰＵ１１ａが、ＲＯＭ１１ｂ等の記録媒体に記録された動作プログラムに従って動作することにより実行される。
【００６７】
図６において、ユーザが画像処理装置１へのログインのため、操作パネル部１４からユーザ名、パスワードを入力すると、ステップＳ６０１でこれらが受け付けられる。そして受け付けられたユーザ名、パスワードに基づいて認証部１７でユーザ認証が行われ、ステップＳ６０２で認証成功か否かが判断される。認証失敗であれば（ステップＳ６０２でＮＯ）、ステップＳ６０１に戻る。認証成功であれば（ステップＳ６０２でＹＥＳ）、ステップＳ６０３に進む。
【００６８】
ステップＳ６０３では、ユーザの指示に基づいて「設定登録モード」が選択され、ステップＳ６０４では、ユーザの入力に基づいて図２に示した「ページ割付」「ステープル」などの印刷項目についての設定が行われる。
【００６９】
設定完了後、ユーザが設定内容を保存する名称（設定保存名）を入力すると、ステップＳ６０５で、入力された設定保存名が付与される。
【００７０】
次いで、ステップＳ６０６で、設定保存名が付与された印刷設定を、認証されたユーザに関連付けられた記憶部１５の保存領域に登録保存し、本処理を終了する。
【００７１】
複数の印刷設定を連続して登録する場合は、ステップＳ６０３〜Ｓ６０６が繰り返される。
【００７２】
図７は、ユーザが携帯端末２から印刷対象データを画像処理装置１へ送信して印刷を行うモード（携帯印刷モード）を、画像処理装置１が実行するときの画像処理装置１の動作を示すフローチャートである。
【００７３】
この処理も、画像処理装置１の演算処理部１１におけるＣＰＵ１１ａが、ＲＯＭ１１ｂ等の記録媒体に記録された動作プログラムに従って動作することにより実行される。
【００７４】
ユーザが画像処理装置１へのログインのため、操作パネル部１４からユーザ名、パスワードを入力すると、ステップＳ７０１でこれらが受け付けられる。そして受け付けられたユーザ名、パスワードに基づいて認証部１７でユーザ認証が行われ、ステップＳ７０２で認証成功か否かが判断される。認証失敗であれば（ステップＳ７０２でＮＯ）、ステップＳ７０１に戻る。認証成功であれば（ステップＳ７０２でＹＥＳ）、ステップＳ７０３に進む。
【００７５】
ステップＳ７０３では、ユーザが操作パネル部１４から携帯印刷モードを選択したかどうかが判断される。「携帯印刷モード」が選択されなかった場合（ステップＳ７０３でＮＯ）、ステップＳ７１５に進み、登録されている設定保存名がプログラムキーとして操作パネル部１４の表示部１４２に表示され、ユーザがその表示の中から所望の設定を選択すると、ステップＳ７１６では、選択されたプログラムキーが判別される。その後、ステップＳ７１１に進み、プログラムキーに対応する動作が実行される。
【００７６】
一方、ステップＳ７０３で、携帯印刷モードが選択された場合は（ステップＳ７０３でＹＥＳ）、ステップＳ７０４で、ログインユーザについて登録・保存されている印刷設定数と同数のＰＩＮコード、及びデフォルトの印刷設定に対するＰＩＮコードが生成され、ステップＳ７０５では、ＰＩＮコード毎に印刷設定との関連付けを行う。ついで、ステップＳ７０６では、関連付けされている設定保存名とＰＩＮコードの組み合わせを、図５に示すように、操作パネル部１４の表示部１４２に表示する。なお。前述したように、図４に示すような印刷設定の具体的内容をＰＩＮコードと関連付けて表示しても良い。
【００７７】
また、この実施形態では、ログインしたユーザについて登録されている印刷設定と関連付けてＰＩＮコードが生成されるから、ログインしたユーザが誤って、他のユーザが登録した印刷設定を選択する恐れはなくなる。尚、ログインしたユーザ以外のユーザについて登録されている印刷設定と関連付けたＰＩＮコードも生成し、ログインしたユーザについて登録されている印刷設定と関連付けたＰＩＮコードと併せて表示するようにしてもよい。この場合には、他のユーザが登録した印刷設定をも利用することができるという利点がある。
【００７８】
ユーザが、表示部１４２に表示された印刷設定の中から、適用したい印刷設定を選択し、選択した印刷設定と関連付けされているＰＩＮコードを携帯端末２から入力して画像処理装置１に送信する。画像処理装置１は無線通信部１６を介してＰＩＮコードを受信すると、ステップＳ７０７で、ユーザが携帯端末２に入力したＰＩＮコードが適正なものかどうか、換言すればＰＩＮコードが自己の生成したＰＩＮコードのいずれかと一致しているかどうかの判別を行う。
【００７９】
ユーザが入力したＰＩＮコードが自己の生成したＰＩＮコードと一致していれば、ステップＳ７０８で、携帯端末２との接続（セッション）が確立され、ステップＳ７０９では、携帯端末２から送信される印刷対象データの受信が行われる。なお、ユーザが携帯端末２に入力したＰＩＮコードが適正なものでない場合、接続は確立されないが、この場合、接続失敗を示すメッセージを表示部１４２に表示しても良い。
【００８０】
印刷対象データの受信後、ステップＳ７１０で、ユーザが入力したＰＩＮコードと関連付けられた印刷設定が判別され、ステップＳ７１１で、判別された印刷設定により印刷対象データの印刷が実行される。
【００８１】
次いで、ステップＳ７１２では、印刷が終了したか否かが判断され、印刷が終了しなければ（ステップＳ７１０でＮＯ）、ステップＳ７０３に戻る。
【００８２】
印刷が終了すれば（ステップＳ７１２でＹＥＳ）、ステップＳ７１３で、現在のモードが携帯印刷モードであるかどうかが判断され、携帯印刷モードであれば（ステップＳ７１３でＹＥＳ）、ステップＳ７１４で、生成したＰＩＮコードを記憶部１５から削除したのち、本処理を終了する。現在のモードが携帯印刷モードでなければ（ステップＳ７１３でＮＯ）、そのまま終了する。
【図面の簡単な説明】
【００８３】
【図１】この発明の一実施形態に係る画像処理装置の機能的構成を示すブロック図である。
【図２】ユーザが印刷設定を登録する際に操作パネル部の表示部に表示される登録画面の表示例を示す図である。
【図３】図２の登録画面により記憶部に登録された印刷設定の内容を示す表である。
【図４】ＰＩＮコード生成後の印刷設定の登録内容を示す表である。
【図５】登録されている印刷設定とＰＩＮコードの関連付けをユーザが認識できる状態で、これらの印刷設定及びＰＩＮコードを表示する場合の画面表示例を示す図である。
【図６】ユーザが印刷設定を登録する場合に、画像処理装置で実行される登録処理を示すフローチャートである。
【図７】ユーザが携帯端末から印刷対象データを画像処理装置へ送信して印刷を行うモード（携帯印刷モード）を実行するときの、画像処理装置の動作を示すフローチャートである。
【符号の説明】
【００８４】
１      画像処理装置
２      携帯端末
１１    演算制御部
１１ａ  ＣＰＵ
１１ｂ  ＲＯＭ
１４    操作パネル部
１４２  表示部
１５    記憶部
１６    無線通信部
１７    認証部
１８    ファクシミリ送受信部
１９    ネットワークインターフェイス部
【図１】
0004692580.tif 000002
【図２】
0004692580.tif 000003
【図３】
0004692580.tif 000004
【図４】
0004692580.tif 000005
【図５】
0004692580.tif 000006
【図６】
0004692580.tif 000007
【図７】
0004692580.tif 000008